(57)【要約】【課題】煩わしい作業を少なくしつつ、情報端末装置に接続された入力部の操作を必要とせずに１台の情報端末装置の複数の利用者にメッセージ等の情報を知らせることを可能にする情報端末装置および情報端末装置の電子情報処理方法を提供する。【解決手段】情報判別部１１５は、情報取得部１１１が受信した電子情報の中から情報判別設定部１１４に設定された所望の条件を満たす電子情報を抽出し、抽出した電子情報を情報加工部１１６に出力する。情報加工部１１６は、情報判別部１１５が抽出した電子情報を加工し、加工した電子情報が示す情報を表示内容とするとともに情報端末装置１にログインした利用者が閲覧可能な共用画面を表示させる共用画面表示信号を加工情報表示部１４に出力し、加工情報表示部１４に共用画面を表示させる。【選択図】      図１
2004341723.tif 000002
【特許請求の範囲】
【請求項１】
複数の利用者からのログインを受け付けることが可能な情報端末装置であって、
所望の条件が設定される条件設定部と、
通信ネットワークを介して前記複数の利用者のそれぞれに宛てられた電子情報を受信する受信部と、
前記受信部が受信した電子情報の中から前記条件設定部に設定された所望の条件を満たす電子情報のみを出力する情報判別部と、
少なくとも前記情報判別部が出力した電子情報が示す情報を表示内容とするとともにログインした利用者が閲覧可能な共用画面を表示させる共用画面表示信号を出力する共用画面制御部と
を含むことを特徴とする情報端末装置。
【請求項２】
請求項１に記載の情報端末装置において、前記受信部は、件名と内容とを含む電子情報を受信し、前記条件設定部は、前記所望の条件として前記電子情報の件名を対象とした条件および／または前記所望の条件として前記電子情報の内容を対象とした条件が設定されることを特徴とする情報端末装置。
【請求項３】
請求項１または２に記載の情報端末装置において、前記条件設定部は、前記所望の条件が１つまたは複数設定され、前記情報判別部は、前記条件設定部に所望の条件が複数設定された際には前記受信部が受信した電子情報の中から前記複数設定された所望の条件のいずれかを満たす電子情報のみを出力することを特徴とする情報端末装置。
【請求項４】
請求項１ないし３のいずれかに記載の情報端末装置において、前記共用画面制御部は、前記情報判別部が出力した電子情報を加工し、加工した該電子情報が示す情報を少なくとも表示内容とする前記共用画面を表示させる共用画面表示信号を出力することを特徴とする情報端末装置。
【請求項５】
請求項４に記載の情報端末装置において、前記共用画面制御部は、前記所望の条件を満たす電子情報が画像データを有している場合には該電子情報に対して第１の加工を施し、前記所望の条件を満たす電子情報が画像データを除いた電子情報である場合には該電子情報に対して前記第１の加工と異なる第２の加工を施し、加工した該電子情報が示す情報を少なくとも表示内容とする前記共用画面を表示させる共用画面表示信号を出力することを特徴とする情報端末装置。
【請求項６】
請求項４または５に記載の情報端末装置において、前記条件設定部は、前記所望の条件が複数設定され、前記情報判別部は、前記受信部が受信した電子情報の中から前記条件設定部に複数設定された所望の条件のいずれかを満たす電子情報のみを出力し、前記共用画面制御部は、前記情報判別部が出力した電子情報に対して該電子情報が満たす所望の条件に対応した加工を施し、加工した該電子情報が示す情報を少なくとも表示内容とする前記共用画面を表示させる共用画面表示信号を出力することを特徴とする情報端末装置。
【請求項７】
請求項１ないし６のいずれかに記載の情報端末装置において、前記共用画面制御部が出力する共用画面表示信号に基づき前記共用画面を表示する表示部をさらに含むことを特徴とする情報端末装置。
【請求項８】
請求項７に記載の情報端末装置において、ログインする複数の利用者のそれぞれが他の利用者に宛てられた電子情報を前記表示部に表示すること禁止する表示制御部をさらに含むことを特徴とする情報端末装置。
【請求項９】
複数の利用者からのログインを受け付けることが可能な情報端末装置の電子情報処理方法であって、
所望の条件が設定される条件設定部に前記所望の条件を設定する第１のステップと、
通信ネットワークを介して前記複数の利用者のそれぞれに宛てられた電子情報を受信する第２のステップと、
前記第２のステップで受信した電子情報の中から前記第１のステップで設定した所望の条件を満たす電子情報のみを出力する第３のステップと、
少なくとも前記第３のステップで出力した電子情報が示す情報を表示内容とするとともにログインした利用者が閲覧可能な共用画面を表示させる共用画面表示信号を出力する第４のステップと
を含むことを特徴とする情報端末装置の電子情報処理方法。
【請求項１０】
請求項９に記載の情報端末装置の電子情報処理方法において、前記第１のステップは、前記所望の条件として前記電子情報の件名を対象とした条件および／または前記所望の条件として前記電子情報の内容を対象とした条件を前記条件設定部に設定し、前記第２のステップは、件名と内容とを含む電子情報を受信することを特徴とする情報端末装置の電子情報処理方法。
【請求項１１】
請求項９または１０に記載の情報端末装置の電子情報処理方法において、前記第１のステップは、前記条件設定部に前記所望の条件を１つまたは複数設定し、前記第３のステップは、前記第１のステップで前記条件設定部に所望の条件を複数設定した際には前記第２のステップで受信した電子情報の中から前記複数設定した所望の条件のいずれかを満たす電子情報のみ出力することを特徴とする情報端末装置の電子情報処理方法。
【請求項１２】
請求項９ないし１１のいずれかに記載の情報端末装置の電子情報処理方法において、前記第４のステップは、前記第３のステップで出力した電子情報を加工し、加工した該電子情報が示す情報を少なくとも表示内容とする前記共用画面を表示させる共用画面表示信号を出力することを特徴とする情報端末装置の電子情報処理方法。
【請求項１３】
請求項１２に記載の情報端末装置の電子情報処理方法において、前記第４のステップは、前記所望の条件を満たす電子情報が画像データを有している場合には該電子情報に対して第１の加工を施し、前記所望の条件を満たす電子情報が画像データを除いた電子情報である場合には該電子情報に対して前記第１の加工と異なる第２の加工を施し、加工した該電子情報が示す情報を少なくとも表示内容とする前記共用画面を表示させる共用画面表示信号を出力することを特徴とする情報端末装置の電子情報処理方法。
【請求項１４】
請求項１２または１３に記載の情報端末装置の電子情報処理方法において、前記第１のステップは、前記条件設定部に前記所望の条件を複数設定し、前記第３のステップは、前記第２のステップで受信した電子情報の中から前記第１のステップで複数設定された所望の条件のいずれかを満たす電子情報のみを出力し、前記第４のステップは、前記第３のステップで出力した電子情報に対して該電子情報が満たす所望の条件に対応した加工を施し、加工した該電子情報が示す情報を少なくとも表示内容とする前記共用画面を表示させる共用画面表示信号を出力することを特徴とする情報端末装置の電子情報処理方法。
【請求項１５】
請求項９ないし１４のいずれかに記載の情報端末装置の電子情報処理方法において、前記第４のステップで出力する共用画面表示信号に基づき前記共用画面を表示部に表示する第５のステップをさらに含むことを特徴とする情報端末装置の電子情報処理方法。
【請求項１６】
請求項１５に記載の情報端末装置の電子情報処理方法において、ログインする複数の利用者のそれぞれが他の利用者に宛てられた電子情報を前記表示部に表示すること禁止する第６のステップをさらに含むことを特徴とする情報端末装置の電子情報処理方法。
【請求項１７】
請求項９ないし１６のいずれかに記載された情報端末装置の電子情報処理方法をコンピュータに実行させるプログラム。
【発明の詳細な説明】
【０００１】
【発明の属する技術分野】
本発明は、情報端末装置および情報端末装置の電子情報処理方法に関し、特には、家族等の所定のグループ内のコミュニケーションを促進させることが可能な情報端末装置および情報端末装置の電子情報処理方法に関する。
【０００２】
【従来の技術】
従来、複数台のパーソナルコンピュータ等の情報端末装置を利用することによって、家族内のコミュニケーションを促進させるシステムが存在する。
【０００３】
図３は、複数台のパーソナルコンピュータを利用して、家族内のコミュニケーションを促進させるシステムを示したブロック図である。
【０００４】
図３において、家族内のコミュニケーションを促進させるシステムは、専用サーバー３１と家族内の各個人用の複数のパーソナルコンピュータ３２とを含む。専用サーバー３１は、複数台のパーソナルコンピュータ３２を管理するとともにインターネット３３と接続している。専用サーバー３１は、インターネット３３を介して受信する情報を複数のパーソナルコンピュータ３２に伝達する。
【０００５】
しかしながら、図３に示したシステムの場合、ホームネットワークを構築しなければならず、ホームネットワークの構築および維持にかなりの専門知識が必要となり、管理も大変である。また、専用サーバーが必要であるとともに個人ごとにパーソナルコンピュータが必要となるので、大変な費用が必要となってしまい、また構成も大きくなってしまうという問題があった。
【０００６】
そこで、家族等の所定のグループ内のコミュニケーションを促進させつつ、個人ごとにパーソナルコンピュータを所有しなければならないという問題を解決可能なパーソナルコンピュータが市販されるようになった。
【０００７】
このパーソナルコンピュータは、１台のパーソナルコンピュータがあたかも家族の人数分あるかのように利用可能である。具体的には、このパーソナルコンピュータは、予め設定された複数の利用者によるログインを受付可能であるとともに、ログインの際にパスワード等による個人認証を行うことにより、利用者各人のプライベートは守られる仕組みになっている。例えば、電子メールのやり取りなどは、各人ごとに独立して行えるようになり、家族の中でも他人のメールを見ることはできない。
【０００８】
さらに、このパーソナルコンピュータは、予め設定された複数の利用者間のコミュニケーションを促進させるツールとして、ログインした利用者であれば誰でも見ることができる電子伝言板を有している。この電子伝言板には、パーソナルコンピュータに接続されたキーボード等の入力部の操作によって入力される伝言のみが登録可能であった。
【０００９】
【発明が解決しようとする課題】
上記のパーソナルコンピュータにおいては、ログインした利用者であれば誰でも見ることができる電子伝言板への伝言の登録は、パーソナルコンピュータに接続された入力部を介して行わなければならなかった。
【００１０】
したがって、パーソナルコンピュータに接続された入力部を直接操作できない場所からパーソナルコンピュータの複数の利用者にメッセージ等の情報を知らせたい場合、例えば１台のパーソナルコンピュータの複数の利用者に同じ内容の電子メールを送信するという煩わしい作業が必要であった。
【００１１】
なお、パーソナルコンピュータに接続された入力部を直接操作できない場所からパーソナルコンピュータの複数の利用者にメッセージ等の情報を知らせたい場合、家族共用メールの設定により対応可能であるが、この場合、家族共用メールを管理運用しなければならず、余計なコストと管理工程が増加するとともに、家族共用メールをチェックするという煩わしい作業が必要となり、また、家族共用メールをチェックし忘れる可能性もある。
【００１２】
本発明の目的は、煩わしい作業を少なくしつつ、情報端末装置に接続された入力部の操作を必要とせずに１台の情報端末装置の複数人の利用者にメッセージ等の情報を知らせることを可能にする情報端末装置および情報端末装置の電子情報処理方法を提供することである。
【００１３】
【課題を解決するための手段】
上記目的を達成するために、本発明の情報端末装置および情報端末装置の電子情報処理方法は、通信ネットワークを介して複数の利用者のそれぞれに宛てられた電子情報の中で条件設定部に設定された所望の条件を満たす電子情報が示す情報を表示内容とするとともにログインした利用者が閲覧可能な共用画面を表示させる共用画面表示信号を出力することを特徴とする。
【００１４】
上記の発明によれば、所望の条件を満たす電子情報を情報端末装置の利用者のいずれか宛てに送信すれば、送信した電子情報が示す情報が該情報端末装置の利用者が閲覧可能な共用画面の表示内容となるので、同じ内容の電子メールの複数人の利用者への送信や共用メールの管理といった煩わしい作業を行うことなく、情報端末装置の入力部を直接操作することなく該情報端末装置の複数人の利用者にメッセージ等の情報を知らせることが可能となる。
【００１５】
したがって、情報端末装置の複数の利用者によって構成される所定のグループ間のコミュニケーションを円滑にできる。
【００１６】
また、１台の情報端末装置を使用するだけで複数の人によって構成される所定のグループ間のコミュニケーションを円滑にできるので、複数の人の各々が専用の情報端末装置を用いる場合に比べて、費用の抑制および構成の小型化を図ることが可能となる。
【００１７】
また、所望の条件を適宜設定することにより、該情報端末装置の利用者のいずれか宛てに送信された電子情報の中から該情報端末装置の複数人の利用者に必要と思われる電子情報を該情報端末装置の複数人の利用者に自動的に提供することが可能となる。
【００１８】
また、本発明の情報端末装置および情報端末装置の電子情報処理方法は、件名と内容とを含む電子情報を受信し、前記条件設定部は、前記所望の条件として前記電子情報の件名を対象とした条件および／または前記所望の条件として前記電子情報の内容を対象とした条件が設定されることを特徴とする。
【００１９】
上記の発明によれば、上記と同様の効果を奏するとともに、情報端末装置の入力部を直接操作できない場所から該情報端末装置の複数人の利用者にメッセージ等の情報を知らせたい場合、その情報を示す電子情報の件名や内容に所望の条件を盛り込むことにより、その情報を該情報端末装置の複数人の利用者に知らせることが可能となる。
【００２０】
したがって、電子情報の送信側で、送信する電子情報を該情報端末装置の複数人の利用者に知らせるか否かを簡単に選択することが可能となる。
【００２１】
また、本発明の情報端末装置および情報端末装置の電子情報処理方法は、条件設定部に所望の条件が複数設定された際に複数設定された所望の条件のいずれかを満たす電子情報が示す情報を表示内容とする共用画面を表示させる共用画面表示信号を出力するので、上記の効果に加えて、互いに異なる複数の所望の条件を設定することにより、該情報端末装置の複数人の利用者に知らせることができる電子情報の種類を増やすことが可能となる。
【００２２】
また、本発明の情報端末装置および情報端末装置の電子情報処理方法は、受信した電子情報の中で条件設定部で設定された所望の条件を満たす電子情報を加工し、加工した電子情報が示す情報を少なくとも表示内容とする共用画面を表示させる共用画面表示信号を出力するので、上記の効果に加えて、共用画面に表示される情報を見やすい形式に加工することが可能となる。
【００２３】
また、本発明の情報端末装置および情報端末装置の電子情報処理方法は、所望の条件を満たす電子情報が画像データを有している場合には該電子情報に対して第１の加工を施し、所望の条件を満たす電子情報が画像データを除いた電子情報である場合には該電子情報に対して第１の加工と異なる第２の加工を施すことを特徴とする。
【００２４】
上記の発明によれば、上記の効果に加えて、画像データを有する場合と有さない場合とで電子情報の加工を変更可能となり、電子情報の内容に応じた加工が可能となる。
【００２５】
また、本発明の情報端末装置および情報端末装置の電子情報処理方法は、受信した電子情報の中から条件設定部に複数設定された所望の条件のいずれかを満たす電子情報のみを出力し、出力した電子情報に対して該電子情報が満たす所望の条件に対応した加工を施すことを特徴とする。
【００２６】
上記の発明によれば、上記の効果に加えて、共用画面に表示される電子情報が示す情報の表示形式を該電子情報の抽出に使用された所望の条件ごとに変更可能となり、共用画面に表示される情報を表示形式で分類することが可能となる。
【００２７】
また、本発明の情報端末装置および情報端末装置の電子情報処理方法は、共用画面表示信号に基づき共用画面を表示することが好ましい。
【００２８】
また、本発明の情報端末装置および情報端末装置の電子情報処理方法は、ログインする複数の利用者のそれぞれが、他の利用者に宛てられた電子情報を表示部に表示すること禁止するので、複数の利用者のそれぞれのプライバシーを保護しつつ、情報端末装置の複数人の利用者にメッセージ等の情報を知らせることが可能となる。
【００２９】
【発明の実施の形態】
以下、本発明の実施の形態を図面に示す一実施例に基づき説明する。
【００３０】
図１は、本発明の一実施例の情報端末装置を示したブロック回路図である。
【００３１】
図１において、情報端末装置１は、電子情報処理部１０と情報保存部１２とキーボード等の入力部１３と表示制御部１５とを含む。電子情報処理部１０は、情報処理部１１と加工情報表示部１４とを含む。情報処理部１１は、情報取得部１１１と情報更新設定部１１２と情報更新部１１３と情報判別設定部１１４と情報判定部１１５と情報加工部１１６および加工情報保存部１１７とを含む。情報取得部１１１は、サーバー監視部１１１ａと情報受信部１１１ｂとを含む。
【００３２】
パーソナルコンピュータ等の情報端末装置１は、予め設定された複数の利用者からのログインを受け付けることが可能である。以下、「予め設定された複数の利用者」を単に「複数の利用者」と称する。
【００３３】
なお、本実施例において「ログイン」という文言は、「ログオン」を含み、また、情報端末装置１（具体的には情報端末装置１が有するソフトウエア等の資源）にアクセスすること、および情報端末装置１（具体的には情報端末装置１が有するソフトウエア等の資源）にアクセス可能になることを含む。
【００３４】
メール／コンテンツサーバ等のサーバー２は、インターネット等の通信ネットワーク３を介して電子情報としての外部情報を受信する。さらに言えば、サーバー２は、少なくとも情報端末装置１の複数の利用者のそれぞれに宛てられた電子情報を受信する。
【００３５】
情報端末装置１は、情報端末装置１にログインする複数の利用者のそれぞれに宛てられた電子情報を通信ネットワーク３とサーバー２とを介して電子情報処理部１１で受信し、受信した電子情報を情報保存部１２に保存する。
【００３６】
情報端末装置１は、例えばパスワード等の認証情報を用いてログインする利用者の認証を行うことにより、ログインする複数の利用者のそれぞれが情報保存部１２に保存された電子情報の中で自分自身に宛てられた電子情報のみ閲覧可能とする。
【００３７】
情報更新設定部１１２は、入力部１３からの入力に基づき、サーバー監視部１１１ａがサーバー２にアクセスする間隔が設定される。
【００３８】
情報更新部１１３は、情報更新設定部１１２に設定された間隔で、更新タイミング信号を情報取得部１１１が有するサーバー監視部１１１ａに出力する。
【００３９】
受信部としての情報取得部１１１は、通信ネットワーク３を介して情報端末装置１の複数の利用者のそれぞれに宛てられた電子情報を受信する。さらに言えば、情報取得部１１１は、サーバー２にアクセスし、情報端末装置１の複数の利用者のそれぞれに宛てられた電子情報の中で未だ受信していない電子情報を受信する。
【００４０】
具体的には、情報取得部１１１が有するサーバー監視部１１１ａが、情報更新部１１３が出力する更新タイミング信号を入力するごとにサーバー２にアクセスして、情報端末装置１の複数の利用者のそれぞれに宛てられた電子情報の中で未だ受信していない電子情報の有無を監視し、情報端末装置１の複数の利用者のそれぞれに宛てられた電子情報の中で未だ受信していない電子情報がある場合、未受信の電子情報をサーバー２から受信することを指示する通知信号を情報受信部１１１ｂに出力する。
【００４１】
情報取得部１１１が有する情報受信部１１１ｂは、サーバー監視部１１１ａが出力する通知信号を入力すると、サーバー２にアクセスして、情報端末装置１の複数の利用者のそれぞれに宛てられた電子情報の中で未だ受信していない電子情報をサーバー２から受信する。
【００４２】
条件設定部としての情報判定設定部１１４は、入力部１３からの入力に基づき、情報取得部１１１が受信した電子情報を選別するための所望の条件を自身に１つまたは複数設定する。
【００４３】
情報判別部１１５は、情報取得部１１１が受信した電子情報のすべてを情報保存部１２に保存する。
【００４４】
情報判別部１１５は、情報取得部１１１が受信した電子情報の中から情報判別設定部１１４に設定された所望の条件を満たす電子情報のみを抽出し、抽出した電子情報を情報加工部１１６に出力する。なお、情報判別部１１５は、情報判別設定部１１４に所望の条件が複数設定された際、複数設定された所望の条件のいずれかを満たす電子情報のみを情報加工部１１６に出力する。
【００４５】
共用画面制御部としての情報加工部１１６は、少なくとも情報判別部１１５が出力した電子情報が示す情報を表示内容とするとともにログインした利用者が閲覧可能な共用画面を表示させる共用画面表示信号を加工情報表示部１４に出力する。
【００４６】
具体的には、情報加工部１１６は、情報判別部１１５が出力した電子情報を加工し、加工した電子情報が示す情報を少なくとも表示内容とする共用画面を表示させる共用画面表示信号を加工情報表示部１４に出力する。また、情報加工部１１６は、加工した電子情報を加工情報保存部１１７に保存する。
【００４７】
情報加工部１１６は、情報判別部１１５から入力する電子情報が画像データを有している場合には画像データを有する電子情報に対して第１の加工を施し、情報判別部１１５から入力する電子情報が画像データを除いた電子情報である場合には画像データを有さない電子情報に対して第１の加工と異なる第２の加工を施す。
【００４８】
例えば、情報加工部１１６は、第１の加工として、画像データに応じた画像が表示される領域が広くなるように電子情報を加工し、第２の加工として、画像データを有さない文字データだけの電子情報に対しては文字データに応じた文字が表示領域の中央に配置されるように電子情報を加工する。
【００４９】
また、情報判別設定部１１４に所望の条件が複数設定された際、情報加工部１１６は、情報判別部１１５から入力する電子情報に対して該電子情報が満たす所望の条件に対応した加工を施す。
【００５０】
例えば、第１の所望の条件と第２の所望の条件とが情報判別設定部１１４に設定された際、情報加工部１１６は、第１の所望の条件に基づき抽出された電子情報に対してはその電子情報が示す情報の表示の背景が第１の色となるように加工を施し、第２の所望の条件に基づき抽出された電子情報に対してはその電子情報が示す情報の表示の背景が第１の色と異なる第２の色となるように加工を施す。
【００５１】
情報加工部１１６は、入力部１３から入力された伝言も共用画面の表示内容とする。したがって、共用画面には、所望の条件を満たす電子情報が示す情報と入力部１３から入力された伝言とが表示可能である。なお、共用画面の表示内容は、所望の条件を満たす電子情報が示す情報のみとしてもよい。
【００５２】
表示部としての加工情報表示部１４は、情報加工部１１６が出力する共用画面表示信号に基づき共用画面を表示する。
【００５３】
なお、共用画面は、情報端末装置１にログインしたすべての利用者が閲覧可能であってもよい。
【００５４】
また、情報判別部１１５が出力した電子情報が該電子情報を閲覧可能な利用者として複数の利用者の中の所望の複数人の利用者を指定している場合には、共用画面は、指定された利用者のみが閲覧可能であってもよい。この場合、情報加工部１１６は、情報判別部１１５が出力した電子情報が指定した利用者のみが閲覧可能な共用画面を表示させる共用画面表示信号を加工情報表示部１４に出力するようにすればよい。
【００５５】
表示制御部１５は、例えばパスワード等の認証情報を用いて情報端末装置１にログインする利用者の認証を行うことにより、情報端末装置１にログインする複数の利用者のそれぞれが、他の利用者に宛てられた電子情報を加工情報表示部１４に表示すること禁止する。
【００５６】
次に、動作を説明する。
【００５７】
図２は、情報端末装置１の動作を説明するためのフローチャートである。以下、図２を参照して情報端末装置１の動作を説明する。
【００５８】
入力部１３が操作されてサーバー監視部１１１ａがサーバー２にアクセスする間隔が入力されると、サーバー監視部１１１ａがサーバー２にアクセスする間隔として入力部１３から入力された間隔が情報更新設定部１１２に設定される。
【００５９】
また、入力部１３が操作されて情報取得部１１１が受信した電子情報を選別するための所望の条件が入力されると、情報判定設定部１１４は、入力部１３からの入力に基づき、情報取得部１１１が受信した電子情報を選別するための所望の条件を自身（情報判定設定部１１４）に１つまたは複数設定する（ステップ２ａ）。
【００６０】
情報更新部１１３は、情報更新設定部１１２に設定された間隔で、更新タイミング信号をサーバー監視部１１１ａに出力する（ステップ２ｂ）。
【００６１】
サーバー監視部１１１ａは、更新タイミング信号を入力すると、サーバー２にアクセスして、情報端末装置１の複数の利用者のそれぞれに宛てられた電子情報の中で未だ受信していない電子情報の有無を監視し、情報端末装置１の複数の利用者のそれぞれに宛てられた電子情報の中で未だ受信していない電子情報がある場合、未受信の電子情報をサーバー２から受信することを指示する通知信号を情報受信部１１１ｂに出力する（ステップ２ｃ）。
【００６２】
情報受信部１１１ｂは、サーバー監視部１１１ａが出力する通知信号を入力すると、サーバー２にアクセスして、情報端末装置１の複数の利用者のそれぞれに宛てられた電子情報の中で未だ受信していない電子情報をサーバー２から受信し、受信した電子情報を情報判定部１１５へ引き渡す（ステップ２ｄ）。
【００６３】
情報判別部１１５は、情報取得部１１１が受信した電子情報の中から情報判別設定部１１４に設定された所望の条件を満たす電子情報を抽出し、抽出した電子情報を情報加工部１１６に出力する。
【００６４】
さらに、情報判別部１１５は、情報取得部１１１が受信した電子情報のすべてを情報保存部１２へ出力する（ステップ２ｅ）。
【００６５】
情報保存部１２は、情報判別部１１５から出力される情報を保存する。つまり、情報保存部１２は、情報取得部１１１が受信した電子情報のすべてを保存する（ステップ２ｆ）。
【００６６】
情報加工部１１６は、情報判別部１１５が抽出した電子情報を加工し（ステップ２ｇ）、加工した電子情報が示す情報を表示内容とするとともに情報端末装置１にログインした複数人の利用者が閲覧可能な共用画面を表示させる共用画面表示信号を加工情報表示部１４に出力し、加工情報表示部１４に共用画面を表示させる（ステップ２ｈ）。また、情報加工部１１６は、加工した電子情報を加工情報保存部１１７に保存する（ステップ２ｉ）。
【００６７】
なお、共用画面を閲覧できる複数人の利用者は、情報端末装置１の複数の利用者全員であってもよいし、情報端末装置１の複数の利用者の中の所望の複数人であってもよい。
【００６８】
本実施例は、所望の条件を満たす電子情報を情報端末装置１の利用者のいずれか宛てに送信すれば、送信した電子情報が示す情報が該情報端末装置１の利用者が閲覧できる共用画面に表示されるので、同じ内容の電子メールの情報端末装置１の複数人の利用者への送信や共用メールの管理といった煩わしい作業を行うことなく、情報端末装置１の入力部１３を直接操作できない場所から情報端末装置１の複数人の利用者にメッセージ等の情報を知らせることが可能となる。
【００６９】
また、１台の情報端末装置１を使用するだけで複数の人によって構成される所定のグループ間のコミュニケーションを円滑にできるので、複数の人の各々が専用の情報端末装置を用いる場合に比べて、費用の抑制および構成の小型化を図ることが可能となる。
【００７０】
特に、情報端末装置１にログインする複数の利用者のそれぞれが、他の利用者に宛てられた電子情報を加工情報表示部１４に表示すること禁止する表示制御部１５を情報端末装置１が備えている場合、利用者各人宛ての電子情報に関するプライベートを保護しつつ、複数人の利用者間のコミュニケーションを促進させることが可能になる。
【００７１】
また、情報取得部１１１が、件名と内容とを含む電子情報を受信し、情報判別設定部１１４に、所望の条件として電子情報の件名を対象とした条件および／または所望の条件として電子情報の内容を対象とした条件が設定されている際、外出先から情報端末装置１の複数人の利用者にメッセージ等の情報を知らせたい場合、その情報を示す電子情報の件名や内容に所望の条件を盛り込むことにより、その情報を情報端末装置１の複数人の利用者に知らせることが可能となる。
【００７２】
例えば、所望の条件として、電子情報の件名を対象とした条件で「家族」という文言が情報判別設定部１１４に設定されていた場合、外出先の情報端末装置から件名に「家族」という文言が入った電子情報を情報端末装置１の利用者のいずれかに宛てて送信すれば、件名に「家族」という文言が入った電子情報が示す情報が情報端末装置１の利用者が閲覧可能な共用画面の表示内容として加工情報表示部１４に表示される。
【００７３】
したがって、電子情報の送信側で、送信する電子情報を該情報端末装置１の複数人の利用者に知らせるか否かを選択することが可能となる。
【００７４】
また、情報判別設定部１１４に設定される所望の条件を適宜設定することにより、情報端末装置１の利用者のいずれかに送信された電子情報の中から情報端末装置１の複数人の利用者に必要と思われる電子情報を情報端末装置１の複数人の利用者に自動的に提供することが可能となる。
【００７５】
例えば、特定の発信者から送信された電子情報を情報端末装置１の複数人の利用者で共有したい場合、所望の条件として特定の発信者を設定すれば、特定の発信者から送信された電子情報を情報端末装置１の複数人の利用者で共有することが可能となる。特定の発信者の一例としては、キャンペーンやセールを行う事業者などがあげられる。
【００７６】
また、情報端末装置１の利用者のいずれかに送信された電子情報の中で特定の情報を含んでいると思われる電子情報を情報端末装置１の複数人の利用者で共有したい場合、所望の条件として、件名および／または内容の中に特定の情報を示す文言が含まれるという条件を設定すれば、特定の情報を含んでいると思われる電子情報を情報端末装置１の複数人の利用者で共有できる。また、所望の条件として、所定の文言が所定回数以上含まれるという条件を用いてもよい。
【００７７】
また、互いに異なる複数の所望の条件を情報判別設定部１１４に設定することにより、情報端末装置１の複数人の利用者に知らせることができる電子情報の種類を増やすことができる。
【００７８】
また、情報加工部１１６が、情報判別設定部１１４で設定された所望の条件を満たす電子情報を加工し、加工した電子情報が示す情報を少なくとも表示内容とする共用画面を表示させる共用画面表示信号を出力するので、共用画面に表示される情報を見やすい形式に加工することができる。
【００７９】
情報加工部１１６が行う電子情報の加工例としては、情報判別部１１５が抽出した電子情報が画像データを有している場合には画像データを有する電子情報に対して第１の加工を施し、情報判別部１１５が抽出した電子情報が画像データを除いた電子情報である場合には画像データを有さない電子情報に対して第１の加工と異なる第２の加工を施す。
【００８０】
情報加工部１１６が行う第１および第２の加工例としては、第１の加工として、画像データに応じた画像が表示される領域が広くなるように電子情報を加工し、第２の加工として、画像データを有さない文字データだけの電子情報に対しては文字データに応じた文字が表示領域の中央に配置されるように電子情報を加工する。
【００８１】
情報加工部１１６が行う電子情報の他の加工例としては、情報判別設定部１１４に所望の条件が複数設定された際、情報加工部１１６は、情報判別部１１５が抽出した電子情報に対して該電子情報が満たす所望の条件に対応した加工を施す。
【００８２】
例えば、第１の所望の条件と第２の所望の条件とが情報判別設定部１１４に定された際、情報加工部１１６は、第１の所望の条件に基づき抽出された電子情報に対してはその電子情報が示す情報の表示の背景が第１の色（例えば黄色）となるように加工を施し、第２の所望の条件に基づき抽出された電子情報に対してはその電子情報が示す情報の表示の背景が第１の色と異なる第２の色（例えば黄緑色）となるように加工を施す。
【００８３】
この場合、共用画面に表示される情報を表示形式で分類することが可能となる。
【００８４】
なお、情報端末装置１の複数の利用者としては、例えば、情報端末装置１を利用する家族が該当するが、情報端末装置１の複数の利用者は、家族に限るものではない。
【００８５】
また、情報端末装置１の複数の利用者は、複数人の利用者である場合に限らず、例えば１人の利用者が仕事用とプライベート用というように利用状況を分けて使う場合もその１人の利用者が情報端末装置１の複数の利用者に含まれる。
【００８６】
また、情報処理部１１は、コンピュータ読み取り可能な記録媒体としてのメモリとコンピュータとしてのＣＰＵとにより構成されるものでもよい。この場合、情報処理部１１の構成要素となるメモリには、情報処理部１１が実行する上述した電子情報処理方法をＣＰＵに実行させるプログラムが記録され、情報処理部１１の構成要素となるＣＰＵは、メモリに記録されたプログラムを読み取り、読み取ったプログラムに従って上述した電子情報処理方法を実行する。
【００８７】
また、情報処理部１１の構成要素となるメモリに記録されたプログラムは、光ディスク等のコンピュータ読み取り可能な記録媒体に記録されていてもよい。この場合、光ディスク等の記録媒体に記録されたプログラムを読取り装置で読み取り、読み取ったプログラムを情報処理部１１の構成要素となるメモリに記録することにより、情報処理部１１が実行する上述した電子情報処理方法を情報処理部１１の構成要素となるＣＰＵが実行可能となる。
【００８８】
以上説明した実施例において、図示した構成は単なる一例であって、本発明はその構成に限定されるものではない。
【００８９】
【発明の効果】
本発明は、情報端末装置の複数の利用者のそれぞれに宛てられた電子情報の中で条件設定部に設定された所望の条件を満たす電子情報が示す情報を表示内容とするとともに情報端末装置にログインした利用者が閲覧可能な共用画面を表示させる共用画面表示信号を出力する。
【００９０】
したがって、所望の条件を満たす電子情報を情報端末装置の利用者のいずれか宛てに送信すれば、送信した電子情報が示す情報が該情報端末装置の利用者が閲覧可能な共用画面の表示内容となるので、同じ内容の電子メールの複数人の利用者への送信や共用メールの管理といった煩わしい作業を行うことなく、情報端末装置の入力部を直接することなく該情報端末装置の複数人の利用者にメッセージ等の情報を知らせることが可能となる。
【００９１】
また、所望の条件を適宜設定することにより、該情報端末装置の利用者のいずれか宛てに送信された電子情報の中から該情報端末装置の複数人の利用者に必要と思われる電子情報を該情報端末装置の複数人の利用者に自動的に提供することが可能となる。
【００９２】
また、１台の情報端末装置を使用するだけで複数人の利用者間のコミュニケーションを円滑にできるので、複数の利用者の各々が専用の情報端末装置を用いる場合に比べて、費用の抑制および構成の小型化を図ることが可能となる。
【００９３】
また、ログインする複数の利用者のそれぞれが、他の利用者に宛てられた電子情報を表示部に表示すること禁止すれば、複数の利用者のそれぞれのプライバシーを保護しつつ、情報端末装置の複数人の利用者にメッセージ等の情報を知らせることが可能となる。
【図面の簡単な説明】
【図１】本発明の一実施例である情報端末装置を示したブロック図である。
【図２】図１に示した情報端末装置の動作を説明するためのフローチャートである。
【図３】従来の家族内のコミュニケーションを促進させるシステムを示したブロック図である。
【符号の説明】
１        情報端末装置
１０      電子情報処理部
１１      情報処理部
１１１    情報取得部
１１１ａ  サーバー監視部
１１１ｂ  情報受信部
１１２    情報更新設定部
１１３    情報更新部
１１４    情報判別設定部
１１５    情報判別部
１１６    情報加工部
１１７    加工情報保存部
１２      情報保存部
１３      入力部
１４      加工情報表示部
１５      表示制御部
２        サーバー
３        通信ネットワーク
【図１】
2004341723.tif 000003
【図２】
2004341723.tif 000004
【図３】
2004341723.tif 000005